(57)【特許請求の範囲】
【請求項１】
キャビティ（cavity）構造を有する無線周波数フィルターにおいて、
キャビティを有するために、内部が中空であり、一側に開放面を有する筐体と、
前記筐体の中空に位置する共振素子と、
前記共振素子に対応する位置に予め設定した直径のネジホールを含み、前記筐体の開放面を密封するカバーと、
前記カバーの前記ネジホールにネジ結合する周波数チューニングネジとを備え、
前記周波数チューニングネジの上端の少なくとも一部分に、予め設定された付勢力を有する付勢固定部材の下面の少なくとも一部分が固定され、
前記付勢固定部材は、前記周波数チューニングネジの上端に固定された部分の外縁から斜め下方に向かって突出する形で構成される付勢突出部が形成されていることを特徴とする、無線周波数フィルター。
【請求項２】
前記付勢固定部材の付勢突出部は、周波数チューニングネジの上端から端の周りに全体的に形成され、全体的にその断面がテーパー形状を有することを特徴とする、請求項１に記載の無線周波数フィルター。
【請求項３】
キャビティ（cavity）構造を有する無線周波数フィルターにおいて、
キャビティを有するために内部が中空であり、一側に開放面を有する筐体と、
前記筐体の中空に位置する共振素子と、
前記筐体の開放面を密封し、前記共振素子に対応する位置に予め設定した直径のネジホールを含み、前記ネジホールの上端の少なくとも一部分には、前記ネジホールの内径側に向かって突出する構造である係止顎を形成するカバーと、
前記カバーの前記ネジホールにネジ結合する周波数チューニングネジと、
前記カバーの前記ネジホールの内部で前記係止顎にかかる構造で、前記周波数チューニングネジと前記係止顎との間に結合され、薄い板が中空部を有するリング状であり、端から前記中空部側に下降する傾きを有するテーパー（taper）状で構成され、予め設定された付勢力を有する付勢固定部材と、
を備えることを特徴とする、無線周波数フィルター。
【請求項４】
キャビティ（cavity）構造を有する無線周波数フィルターにおいて、
キャビティを有するために内部が中空であり、一側に開放面を有する筐体と、
前記筐体の中空に位置する共振素子と、
前記共振素子に対応する位置に予め設定した直径のネジホールを含み、前記筐体の開放面を密封するカバーと、
前記カバーの前記ネジホールにネジ結合する周波数チューニングネジとを備え、
前記カバーの前記ネジホールの周りの少なくとも一部の領域には、前記カバーと結合する、予め設定された付勢力を有する付勢固定部材が形成され、
前記付勢固定部材の少なくとも一部分には、前記カバーの前記ネジホールの内部に向かって下側に傾めに突出する形で構成される付勢突出部が形成されることを特徴とする、無線周波数フィルター。
【請求項５】
前記付勢固定部材の付勢突出部は、前記カバーの前記ネジホールの周りに全体的に形成され、全体的にその断面がテーパー状を有することを特徴とする、請求項４に記載の無線周波数フィルター。
【請求項６】
前記付勢固定部材には、端から内側に削られた構造の多数の溝が形成されていることを特徴とする、請求項３に記載の無線周波数フィルター。
【請求項７】
前記付勢固定部材の付勢突出部には、端から内側に削られた構造の多数の溝が形成されていることを特徴とする、請求項１、請求項２、請求項４及び請求項５のいずれか１項に記載の無線周波数フィルター。
【発明の詳細な説明】
【技術分野】
【０００１】
本発明は、無線通信システムで使用する無線信号処理装置に関し、特にキャビティフィルターのように、キャビティタイプの無線周波数フィルター（以下、「フィルター」と略する）に関する。
【０００２】
キャビティ構造の無線周波数フィルターは、通常、金属材質の筐体を介して直方体などの収容空間、すなわちキャビティを多数個備え、各キャビティ構造の内部に誘電体共振素子（ＤＲ：Dielectric Resonance element）または金属共振棒で構成された共振素子をそれぞれ備えて超高周波の共振を発生させる。また、このようなキャビティタイプを有する無線周波数フィルターで、通常キャビティ構造の上部には、該当キャビティの開放面を遮蔽するカバーが備えられ、カバーには、該当無線周波数フィルターのフィルターリング特性をチューニングするためのチューニング構造として、多数のチューニングネジおよび該当チューニングネジを固定するためのナットが設けられる。キャビティタイプの無線周波数フィルターに関する一例としては、、本出願人によって先出願された韓国公開特許公報第１０−２００４−１０００８４号（名称：「無線周波数フィルター」、公開日：２００４年１２月０２日、発明者：パク・ジョンギュのほか２人）に開示したところを例で挙げられる。
【０００３】
このようなキャビティタイプの無線周波数フィルターは、無線通信システムで送受信無線信号の処理のために用いられ、特に、移動通信システムで基地局や中継器などに代表的に適用される。
【０００４】
一方、本出願人によって先出願した韓国公開特許公報第１０−２０１４−００２６２３５号（名称：「キャビティ構造を有する無線周波数フィルター」、公開日：２０１４年０３月０５日、発明者：バクナムシンの他２人）は、チューニングネジ及び固定用ナットの締結構造を採用せずに、周波数のチューニングが可能な、シンプルで簡素化されたフィルター構造を提案している。前記韓国公開特許公報第１０−２０１４−００２６２３５号は、アルミニウムやマグネシウム素材（合金を含む）の板状の母材を利用してプレス加工やダイカスト加工などを通じてカバーを製作時に、カバーの共振素子に対応する位置に１つまたは複数個の陥没部位を形成する技術を提供する。また、このような陥没部位に、外部打刻装置の打刻ピン（pin）による打刻又は押しによってドットピン（dot peen）構造を多数個形成する。このような陥没部位及びドットピン構造は、周波数チューニングのために通常使用したチューニングネジ及び固定用ナットの締結構造を代替するためのものであり、その陥没部位（及びドットピン構造）と共振素子間の距離が縮まるようにして適切なチューニング作業ができるようにする。
【０００５】
前記韓国公開特許公報第１０−２０１４−００２６２３５号に開示した技術は、通常のチューニングネジ及び固定用ナットの締結構造を採用していないので、小型化及び軽量化のためのフィルター構造に適合することができる。また、このような構造は、従来の周波数チューニングネジと筐体のネジホールとの間の不連続的かつ不均一な接触面または異種金属間の接合などの要因によって発生するＰＩＭＤ（Passive Intermodulation Distortion）成分を除去することができる。
【０００６】
ところで、前記韓国公開特許公報第１０−２０１４−００２６２３５号に開示した技術は、周波数チューニングのために、外部打刻装置を別途備えなければならないという問題点があった。また、外部打刻装置を利用してフィルターの陥没部位にドットピン構造を形成する方式は、一度形成したドットピン構造を除去して陥没部位を元の形に復元することが事実上できなくなる。これにより、周波数のチューニング作業が不可逆的に行われるので、周波数のチューニング作業時に難しさがあった。
【発明の概要】
【発明が解決しようとする課題】
【０００７】
したがって、本発明の少なくとも一部分の実施例に係る目的は、より簡単で、より小型化かつ軽量化が可能であり、より簡単な製造作業及び低コストの製作が可能なキャビティタイプの無線周波数フィルターを提供することにある。特に、本発明の少なくとも一部分の実施例に係るキャビティタイプの無線周波数フィルターで、周波数のチューニング構造は、周波数のチューニング作業を可逆的に行うことができ、チューニング作業がより効率的かつ容易にできるようにする。
【課題を解決するための手段】
【０００８】
前記した目的を達成するために、本発明の一実施例によると、キャビティタイプの無線周波数フィルターとして、キャビティを有するために、内部が中空であり、一側に開放面を有する筐体と、前記筐体の中空に位置する共振素子と、前記共振素子に対応する位置に、予め設定した直径のネジホールを備え、前記筐体の開放面を密封するカバーと、前記カバーの前記ネジホールにネジ結合し、上端の少なくとも一部分には、外側に一部が突出する構造である係止顎が形成される周波数チューニングネジと、前記周波数チューニングネジの前記係止顎にかかる構造で、前記周波数チューニングネジと前記カバーとの間に結合され、薄い板が中空部を有するリング状であり、端から前記中空部側に上昇する傾きを有するテーパー（taper）状で構成され、予め設定した付勢力を有する付勢固定部材を含むことを特徴とする。
【０００９】
本発明の他の実施例では、キャビティ構造を有する無線周波数フィルターにおいて、キャビティを有するために、内部が中空であり、一側に開放面を有する筐体と、前記筐体の中空に位置する共振素子と、前記共振素子に対応する位置に、予め設定した直径のネジホールを備え、前記筐体の開放面を密封するカバーと、前記カバーの前記ネジホールにネジ結合する周波数チューニングネジを含み、前記周波数チューニングネジの上端の少なくとも一部分には、予め設定した付勢力を有する付勢固定部材が形成され、前記付勢固定部材の少なくとも一部分には、外側の下端に斜めに突出する形で構成される付勢突出部が形成されることを特徴とする。
【００１０】
本発明のまた他の実施例では、キャビティ構造を有する無線周波数フィルターにおいて、キャビティを有するために、内部が中空であり、一側に開放面を有する筐体と、前記筐体の中空に位置する共振素子と、前記筐体の開放面を密封し、前記共振素子に対応する位置に、予め設定した直径のネジホールを備え、前記ネジホールの上端の少なくとも一部分には、外側に突出する構造である係止顎が形成されるカバーと、前記カバーの前記ネジホールにネジ結合する周波数チューニングネジと、前記カバーの前記ネジホールの内部で前記係止顎にかかる構造で、前記周波数チューニングネジと前記係止顎との間に結合され、薄い板が中空部を有するリング状であり、端から前記中空部側に下降する傾きを有するテーパー（taper）状で構成され、予め設定した付勢力を有する付勢固定部材を含むことを特徴とする。
【００１１】
本発明のまた他の実施例では、キャビティ構造を有する無線周波数フィルターにおいて、キャビティを有するために、内部が中空であり、一側に開放面を有する筐体と、前記筐体の中空に位置する共振素子と、前記共振素子に対応する位置に、予め設定した直径のネジホールを備え、前記筐体の開放面を密封するカバーと、前記カバーの前記ネジホールにネジ結合する周波数チューニングネジを含み、前記カバーにて、前記ネジホールの周りの少なくとも一部の領域には、前記カバーと結合する、予め設定した付勢力を有する付勢固定部材が形成され、前記付勢固定部材の少なくとも一部分には、前記カバーの前記ネジホールの内部に下側に傾めに突出する形で構成される付勢突出部を形成することを特徴とする。
【００１２】
［発明の効果］
前記したように、本発明の一部の実施例に係るキャビティタイプの無線周波数フィルターは、従来の周波数チューニングネジの設置時に必要とした固定用ナットの締結構造を採用せずに、周波数のチューニングが可逆的に可能にする構造を提供し、より簡単な製造作業及び低コストの製作を可能にすることができる。これにより、当該無線周波数フィルターは、さらに小型かつ軽量化が可能である。
【図面の簡単な説明】
【００１３】
【図１ａ】本発明の第１の実施例に係るキャビティタイプの無線周波数フィルターの切断構造図である。
【図１ｂ】図１ａのうちの周波数チューニングネジの１つの例示の固定状態を示した図である。
【図１ｃ】図１ａのうちの周波数チューニング関連構造の分離斜視図である。
【図２ａ】本発明の第２の実施例に係るキャビティタイプの無線周波数フィルターで周波数のチューニング関連部分の切断構造図である。
【図２ｂ】図２ａのうちの周波数チューニングネジの１つの例示の固定状態を示した図である。
【図２ｃ】図２ａのうちの周波数チューニングネジの斜視図である。
【図３ａ】本発明の第３の実施例に係るキャビティタイプの無線周波数フィルターで周波数のチューニング関連部分の切断構造図である。
【図３ｂ】図３ａのうちの付勢固定部材の斜視図である。
【図４ａ】本発明の第４の実施例に係るキャビティタイプの無線周波数フィルターで周波数のチューニング関連部分の切断構造図である。
【図４ｂ】図４ａのうちの付勢固定部材の１つの例示の斜視図である。
【図４ｃ】図４ａのうちの付勢固定部材の他の例示の斜視図である。
【図５】本発明の実施例に係る付勢固定部材のうちの要部の他の変形構造を示す平面図である。
【発明を実施するための形態】
【００１４】
以下、本発明に係る好適な実施例を添付した図面を参照して詳しく説明する。下の図面では、同一の構成要素については、可能な限り同一の参照番号を付与し、説明の便宜のために、そのサイズや形などは、多少単純化したり、一部の誇張して示した。
【００１５】
図１ａは、本発明の第１の実施例に係るキャビティタイプの無線周波数フィルターの切断構造図である。図１ｂは、図１ａのうちの周波数チューニングネジの１つの例示の固定状態（例えば、周波数チューニングネジが締められた状態）を示す図であり、図１ｃは、図１ａのうちの周波数チューニング関連構造の分離斜視図である。図１ａないし図１ｃを参照すると、本発明の第１の実施例に係るキャビティタイプの無線周波数フィルターは、従来と同様に、内部が中空であり、外部と遮断されるキャビティを少なくとも１つ以上を有する筐体２１を備える。筐体２１は、キャビティを形成し、一側（例えば、上側）が開放する。また、当該筐体２１の開放面を覆う形で、筐体２１を密封するカバー１１が筐体２１と固定的に結合する。筐体２１内に形成したキャビティの中心部には、共振素子５１が筐体２１の内部の底面に固定的に設置される形で備えられる。
【００１６】
図１ａないし図１ｃの例では、説明の便宜のために筐体２１が、例えば、１つのキャビティ構造を形成することを示す。しかし、このような構造の他にも、筐体２１は多数のキャビティを多段につなげる構造を有してもよく、各キャビティは、その中心部に、それぞれ共振素子を備える。また、図１ａないし図１ｃには、図示しないが、該当無線周波数フィルターの入力端子及び出力端子が筐体２１の一側及び他側に形成することができる。筐体２１が多数のキャビティを有するように構成した場合に、前記入力端子及び出力端子は、それぞれ入力端キャビティ及び出力端キャビティ構造と、それぞれつながるように筐体２１に付着する。
【００１７】
前記した構成では、筐体２１及び筐体２１によって形成されるキャビティ構造と共振素子５１の構造は、従来と同様に構成することができ、筐体２１及び共振素子５１は、すべてアルミ系（合金）の材質で構成することができる。また、本発明の一実施例に係るカバー１１も、従来と同様に、筐体２１の材質と同じ材質、すなわち、アルミニウム系の材質で構成することができる。また、筐体２１及びカバー１１にてキャビティを形成する部位の表面には、銀メッキが施される。
【００１８】
前記した構造を有する無線周波数フィルターで、本発明の第１の実施例に係る周波数チューニングのための構造をみて見ると、カバー１１には、筐体２１のキャビティ内の共振素子５１に対応する部位に予め設定した直径でカバー１１を貫通して形成するネジホール１１ａが形成される。前記ネジホール１１ａの側面は、周波数チューニングのための周波数チューニングネジ３１を結合するためのネジ結合構造が形成される。つまり、前記ネジホール１１ａは、全体的に、前記周波数チューニングネジ３１がネジ結合方式で結合するための雌ネジのネジ溝構造を有する。
【００１９】
周波数チューニングネジ３１は、前記ネジホール１１ａにネジ結合方式で締結され、前記ネジホール１１ａを介して筐体２１のキャビティ内部に下端が突入する構造を有する。周波数チューニングネジ３１は、側面に、前記ネジホール１１ａとネジ結合するための雄ネジ構造を有し、上端（つまり、頭の部分）には、外部のドライバ装置（ドライバ、レンチなど）が接続してネジ締め作業をするための適切な形態の駆動溝３１ｂが形成される。図１ｃの例では、駆動溝３１ｂは、スリ割り（slotted）の形態が図示されるが、他にも十字穴や六角穴など多様な形態を有することができる。このような周波数チューニングネジ３１は、真鍮（合金）のような鍛造用素材で構成してもよく、表面に銀メッキする。
【００２０】
このような周波数チューニングネジ３１の上端（頭部）の少なくとも一部分には、本発明の第１の実施例に従い、外側に一部が延びて突出する構造である係止顎３１ａを形成する。係止顎３１ａは、周波数チューニングネジ３１の上端を他の部分（つまり、ボディ部分）の直径よりも全体的により広い直径を有するように形成することで構成する。
【００２１】
また、周波数チューニングネジ３１は、リング状の付勢固定部材４１に嵌合した後にカバー１１のネジホール１１ａに結合するが、周波数チューニングネジ３１を締めるにつれ、前記リング状の付勢固定部材４１は、周波数チューニングネジ３１の係止顎３１ａにかかるようになって周波数チューニングネジ３１の係止顎３１ａとカバー１１の上面との間に位置するように結合する。
【００２２】
本発明の第１の実施例に係る前記付勢固定部材４１は、薄い板が全体的にリング状（例えば、中空部を有するドーナツ状）を有するように構成され、全体的にその断面が端から中空部側に上昇する傾きを有するテーパー（taper）状を有する。また、予め設定したいくつかの付勢力及び適切な強度を有するようにＳＵＳなどの材質で構成される。このような付勢固定部材４１の中空部の直径は、前記周波数チューニングネジ３１の胴体部分の直径よりやや余裕を持って大きく形成し、前記周波数チューニングネジ３１の係止顎３１ａを含む上端の直径より小さく形成する。
【００２３】
前記のようなフィルター構造で、周波数のチューニング作業時には、周波数チューニングネジ３１を前記付勢固定部材４１を経て、カバー１１のネジホール１１ａに結合して締め、周波数チューニングネジ３１を締めるにつれて周波数チューニングネジ３１の係止顎３１ａが付勢固定部材４１を押す。これにより、図１ｂに、より明確に示したように、付勢固定部材４１は、周波数チューニングネジ３１に係止顎３１ａを介して付勢力をかけることで、周波数チューニングネジ３１が現在の締め状態を維持するようにする。
【００２４】
周波数チューニングネジ３１を締めるにつれ、周波数チューニングネジ３１の下端は、キャビティ内部の共振素子５１側に押し込まれ、周波数チューニングネジ３１の下端と共振素子５１との間の間隔が調節されることで、結果的に周波数チューニングネジ３１と共振素子５１との間の静電容量成分を調整し、該当フィルターリング周波数の特性を調節する。
【００２５】
このとき、付勢固定部材４１がある程度の付勢を有するので、周波数チューニングネジ３１を締めたり、緩める作業を繰り返し並行して周波数特性を調整することが可能になり、また、周波数特性のチューニング作業と同時に前記付勢固定部材４１によって周波数チューニングネジ３１の現在の状態を維持及び固定することになる。
【００２６】
図２ａは、本発明の第２の実施例に係るキャビティタイプの無線周波数フィルターで、周波数のチューニング関連部分の切断構造図である。図２ｂは、図２ａの周波数チューニングネジの１つの例示の固定状態（例えば、周波数チューニングネジが締められた状態）を示す図であり、図２ｃは、図２ａのうちの周波数チューニングネジの斜視図である。図２ａないし図２ｃを参照すると、本発明の第２の実施例に係る無線周波数フィルターは、前記第１の実施例と同様に、筐体（図示せず）及びカバー１１などが構成され、ただし周波数チューニング構造で一部違いがある。
【００２７】
第２の実施例に係る周波数チューニングネジ３１の上端の少なくとも一部分には、予め設定した付勢力を有する材質の付勢固定部材３２を形成する。付勢固定部材３２の少なくとも一部分には、外側の下端に斜めに突出する形で構成する付勢突出部３２ａを形成する。付勢固定部材３２の付勢突出部３２ａは、周波数チューニングネジ３１の上端（頭部）から端の周りに全体的に形成され、全体的にその断面がテーパー状を有する。
【００２８】
周波数チューニングネジ３１の胴体部分は、真鍮などの鍛造用素材によって具現することができ、前記付勢突出部３２ａを含む付勢固定部材３２は、ＳＵＳなどの材質によって薄い金属板で具現した後、前記周波数チューニングネジ３１の胴体部分にレーザ溶接等により結合する形で構成することができる。
【００２９】
前記のようなフィルター構造で、周波数のチューニング作業時には、前記付勢固定部材３２が結合した周波数チューニングネジ３１をカバー１１のネジホール（例えば、図１ｃの１１ａ）に結合して締め、周波数チューニングネジ３１を締めるにつれ、図２ｂに、より明確に示したように、周波数チューニングネジ３１の頭部に結合した付勢固定部材３２の付勢突出部３２ａがカバー１１の上面に対向して押されるようになる。これにより、付勢突起部３２ａの付勢力によって周波数チューニングネジ３１は、現在の締め状態を維持することになる。
【００３０】
また、このとき、付勢突起部３２ａがある程度の付勢を有するので、周波数チューニングネジ３１を締めたり、緩める作業を繰り返し実行し、周波数特性を調整することが可能になる。
【００３１】
図３ａは、本発明の第３の実施例に係るキャビティタイプの無線周波数フィルターにて、周波数のチューニング関連部分の切断構造図である。図３ｂは、図３ａのうちの付勢固定部材の斜視図である。図３ａ及び図３ｂを参照し、本発明の第３の実施例に係る無線周波数フィルターで、周波数のチューニング構造をみてみると、第３の実施例では、カバー１２に形成するネジホールの上端の少なくとも一部分に外側に一部突出する構造である係止顎１２ａを形成する。係止顎１２ａは、ネジホールの他の部分の直径よりも全体的により小さい直径を有するように形成することで構成することができる。また、周波数チューニングネジ３３は、全体的に、直径が一定に形成され、前記カバー１２のネジホールに結合するように構成される。
【００３２】
図３ａに示した実施例で、周波数チューニングネジ３３は、筐体（図示せず）の内部キャビティ側で（つまり、カバーの下側で）カバー１２のネジホールに予め一部を結合した状態で設置される。以後カバーが筐体に結合した後、周波数チューニングネジ３３の上端に予め形成した駆動溝（図示せず）を介して外部のドライバ装置が接続されて周波数チューニングネジ３３の締め作業を行う。
【００３３】
このとき、本発明の第３の実施例に係るリング状の付勢固定部材４２が前記カバー１２のネジホールの内部で前記係止顎１２ａと周波数チューニングネジ３３との間に位置するように設置するが、周波数チューニングネジ３３が前記付勢固定部材４２側に締められるにつれ、前記リング状の付勢固定部材４２は、周波数カバー１２の係止顎１２ａにかかるようになって周波数チューニングネジ３３に付勢力を加えるように構成する。
【００３４】
前記付勢固定部材４２は、前記第１の実施例の構造と同様に、薄い板が全体的にリング状（例えば、中空部を有するドーナツ状）を有するように構成され、全体的にその断面が端から中空部側に下降する傾斜を有するテーパー（taper）状を有する。すなわち、前記第３の実施例に係る付勢固定部材４２は、第１の実施例の構造が上下に反転した形であってもよい。また、予め設定したある程度の付勢力及び適切な強度を有するようにＳＵＳなどの材質で構成される。
【００３５】
前記第３の実施例で、周波数チューニングのために、周波数チューニングネジ３３をカバー１２のネジホールから付勢固定部材４２を挟んで締める場合に、カバー１２の係止顎１２ａが付勢固定部材４２を押す。これにより、付勢固定部材４２はたわむようにして変形する。なお、付勢固定部材４２は図示しない切欠き部を中空部側に有していてもよい。これにより、付勢固定部材４２の内周が小さくなるように変形することができる。すなわち、付勢固定部材４２は、周波数チューニングネジ３３に付勢力をかけることで、周波数チューニングネジ３３が現在の締め状態を維持するようにする。また、この場合にも、前の実施例と同様に、周波数チューニングネジ３３を締めたり、緩める作業を繰り返し実行して周波数特性を調整することが可能である。
【００３６】
図４ａは、本発明の第４の実施例に係るキャビティタイプの無線周波数フィルターで、周波数のチューニング関連部分の切断構造図である。図４ｂは、図４ａのうちの付勢固定部材の１つの例示の斜視図であり、図４ｃは、図４ａのうちの付勢固定部材の他の例示の斜視図である。図４ａないし図４ｃを参照し、本発明の第４の実施例に係る無線周波数フィルターで、周波数のチューニング構造をみてみると、第４の実施例では、カバー１３からネジホールの周りの少なくとも一部の領域でカバー１３と結合する付勢固定部材１３１を形成する。図４ｂには、このような付勢固定部材１３１が、全体的に長方形のある平面構造を有する板状で構成される例が示され、図４ｃには、付勢固定部材１３１が、全体的に円形の平面構造を有する例が示される。
【００３７】
付勢固定部材１３１の少なくとも一部分には、カバー１３のネジホールの内部に下側に斜めに突出する形で構成される付勢突出部１３１ａを形成する。付勢突出部１３１ａは、カバー１３のネジホールの周りに全体的に形成し、全体的にその断面がテーパー状を有する。
【００３８】
カバー１３は、アルミニウム（合金）の材質として具現することができ、前記付勢突出部１３１ａを含む付勢固定部材１３１は、ＳＵＳなどの材質により薄い金属板で具現した後、前記カバー１３の上部にネジホールに対応する位置にレーザ溶接等により結合する形で構成することができる。このとき、周波数チューニングネジ３３は、全体的に、直径が一定に形成され、前記カバー１３のネジホールに結合するように構成される。
【００３９】
図４ａないし図４ｃに示した実施例で、周波数チューニングネジ３３は、前記図３ａに示した第３の実施例と同様に、筐体（図示せず）の内部キャビティ側から（つまり、カバーの下側から）カバー１３のネジホールに予め一部が結合した状態で設置する。以後カバーが筐体に結合した後、周波数チューニングネジ３３の上部に予め形成した駆動溝（図示せず）を介して外部のドライバ装置が接続されて周波数チューニングネジ３３の締め作業を行う。
【００４０】
前記のようなフィルター構造で、周波数のチューニング作業時には、周波数チューニングネジ３３を、前記カバー１３のネジホールに結合して付勢固定部材１３１の前記付勢突起１３１ａ側に締め、周波数チューニングネジ３３を締めるにつれ、付勢固定部材１３１の付勢突出部１３１ａが周波数チューニングネジ３３の上面に対向して押されるようになる。すなわち付勢突起部１３１ａは、周波数チューニングネジ３３に付勢力がかかる範囲内で、周波数チューニングネジ３３の現在の締め状態を維持することができる。また、この場合にも、前の実施例と同様に、周波数チューニングネジ３３を締めたり、緩める作業を繰り返し実行し、周波数特性を調整することが可能である。
【００４１】
図５は、本発明の実施例に係る付勢固定部材のうちの要部の他の変形構造を示した平面図である。図５に示した構造は、前記図１ａないし図１ｃに示した第１の実施例に係る付勢固定部材４１や、前記図３ａ及び図３ｂに示した第３の実施例に係る付勢固定部材５２の平面構造である。または、前記図２ａないし図２ｃに図示した第２の実施例に係る付勢固定部材３２の付勢突出部３２ａや、前記図４ａないし図４ｃに示した第４の実施例に係る付勢固定部材１３１の付勢突出部１３１ａの平面構造である。
【００４２】
前記図５に示すように、付勢固定部材４１、４２、または付勢固定部材の付勢突起３２ａ、１３１ａには、端から少し内側に、例えば、スリット（slit）形態で削られた構造を有する多数の溝ｂを形成することができる。このような多数の溝ｂは、付勢固定部材４１、４２、または付勢固定部材の付勢突起３２ａ、１３１ａの付勢力または復元力を増大させる役割をする。多数の溝ｂの直径や長さまたはその他の具体的な詳細構造などは多様に設計することができる。
【００４３】
前記のように、本発明の実施例に係るキャビティ構造を有する無線周波数フィルターが構成することができ、一方、本発明では、他にも様々な実施例や変形例がある。例えば、前記説明したフィルターで、共振素子は別途製作されて筐体の内部底面に付着してよく、また、筐体と共振素子がすべて同じ材質で構成してもよいので、筐体と共振素子が一体的にダイカスト方式で製作することもできる。または、その以外にも、前記韓国公開特許公報第１０−２０１４−００２６２３５号に開示した技術と同様に、筐体と内部の共振素子が全体的にプレス加工方法で一体的に形成する構造を有してもよい。
【００４４】
また、筐体に設置するキャビティの個数と形をはじめ、周波数チューニングネジ、溝、貫通型ホールなどの具体的な詳細構成要素の詳細な構造や、サイズなどは多様に設計変更できることは理解できるはずである。
【００４５】
このように、本発明の様々な変形及び変更があり、したがって、本発明の範囲は、説明した実施例により定めるものではなく、請求の範囲と請求の範囲と均等なものによって定めなければならない。
【図１ａ】
0006934107.tif 000002
【図１ｂ】
0006934107.tif 000003
【図１ｃ】
0006934107.tif 000004
【図２ａ】
0006934107.tif 000005
【図２ｂ】
0006934107.tif 000006
【図２ｃ】
0006934107.tif 000007
【図３ａ】
0006934107.tif 000008
【図３ｂ】
0006934107.tif 000009
【図４ａ】
0006934107.tif 000010
【図４ｂ】
0006934107.tif 000011
【図４ｃ】
0006934107.tif 000012
【図５】
0006934107.tif 000013